(57)【要約】      （修正有）【課題】混雑した電車内等でも肩ベルトに接合部を設けることで、肩ベルトを身体から外すことなくバッグ本体の前後の移動を可能にした、横回転スライド式リュックサックを提供する。【解決手段】バッグ本体１０の４箇所の接合部のうち、胸部接合部凸部５０Ａと胸部接合部凹部５０Ｂ、腹部接合部凸部６０Ａと腹部接合部凹部６０Ｂをそれぞれ結合させてから、右側接合部凸部３０Ａと右側接合部凹部３０Ｂ、左側接合部凸部４０Ａと左側接合部凹部４０Ｂをそれぞれ分離した状態で、首を起点にバッグ本体１０を背中側から１８０度回転することで、バッグ本体１０を身体から離す事なく、前持ちの状態へ移行することができる。【選択図】図１
0003235444.tif 000002
【実用新案登録請求の範囲】
【請求項１】
バッグ本体を背負うために左右一対の肩ベルトがあり、その左右の肩ベルトを連結するための接合部を胸部と腹部の２箇所に設け、更に胸部と腹部の接合部の間に、左右の肩ベルトを上下に分割するための接合部が左右それぞれに設けられたリュックサック。
【請求項２】
バッグ本体を背負うために設けられた左右一対の肩ベルトの胸部が繋がった構造で、腹部に左右の肩ベルトを連結するための接合部を有し、更に胸部と腹部の接合部の間に、左右の肩ベルトを上下に分割するための接合部が左右それぞれに設けられたリュックサック。
【請求項３】
バッグ本体を背負うための左右一対の肩ベルトに設けられた各接合部の距離を調節可能にするベルトを接合部毎に有した、請求項１または請求項２に記載のリュックサック。
【考案の詳細な説明】
【技術分野】
【０００１】  本考案は、背中のバッグ本体を、身体から離さずに容易に胸部に移動するための、リュックサックに関するものである。
【背景技術】
【０００２】  背中に背負ったバッグ本体を胸側に移動して保持する（以下、「前持ち」という）際、一旦、肩ベルトを身体から外し、前側にバッグ本体を移動してから、再度、肩ベルトを掛けていた。【０００３】  前持ちを容易に行うためのリュックサックとして、特許文献１には、バッグ本体の上部に、使用者の頸部の後側に掛けられる「首ベルト」を備えてはいるが、前持ちへの移動の際は、結局、肩ベルトを外さなくてはならず、前述の煩わしさは解消されていない。
【先行技術文献】
【特許文献】
【０００４】
【特許文献１】特開２０２０―１２４４６５号  公報
【考案の概要】
【考案が解決しようとする課題】
【０００５】  重いバッグ本体を前後の移動の度に肩ベルトを外すのは煩わしく、混雑した電車内や肩ベルトを外せない状態では、前後のバッグ本体の移動は困難である。本考案は、肩ベルトに調整ベルト付きバックルの接合部を設けることで、肩ベルトを身体から外すことなくバッグ本体の移動を可能にし、前途の欠点を解決しようとするものである。
【課題を解決するための手段】
【０００６】  本考案は、バッグ本体を背負うための左右一対の肩ベルトに、その左右の肩ベルトを連結するための接合部を胸部と腹部の２箇所に設け、更に胸部と腹部の接合部の間に、左右の肩ベルトを上下に分割するための接合部が左右それぞれ設けられている。その胸部と腹部の接合部を結合した上で、左右の肩ベルトを上下に分離することにより、首を起点にバッグ本体を１８０度回転することができ、バッグ本体を身体から離すことなく前後（胸部と背部）へのバッグ本体の移動を可能とし、課題を解決している。
【考案の効果】
【０００７】  上述の様に、本考案の横回転スライド式リュックサックは、肩ベルト部分に上下に分割する接合部を設けたことにより、身体から離すことなく狭い場所でも簡単にバッグ本体の前後（胸部と背部）の移動が可能となった。
【図面の簡単な説明】
【０００８】
【図１】本考案の実施の形態に係るリュックサックの構成を示す正面図である。
【図２】使用者が通常使用の状態における接合部の構成を示す正面図。
【図３】使用者が通常使用の状態におけるバッグ本体の位置を示す背面図。
【図４】使用者が前持ちの状態におけるバッグ本体の位置を示す正面図。
【図５】使用者が前持ちの状態における接合部の構成を示す背面図。
【考案を実施するための形態】
【０００９】  バッグ本体を背負うための左右の肩ベルトに、その左右の肩ベルトを連結するため、凸部と凹部が一対になったバックルの接合部を胸部と腹部の２箇所に設け、更に胸部と腹部の接合部の間に、左右の肩ベルトを上下に分割するための凸部と凹部が一対になったバックルの接合部が左右それぞれ設けられている。また、合計４箇所の接合部の凸部には長さが調整可能なベルトがそれぞれ付いており、身体のサイズに調整することで、バランス良くバッグ本体を保持でき、バッグ本体を前持ちに移行する際も容易にスライドすることができる。
【実施例】
【００１０】  以下、添付図面に従って一実施例を説明する。図１は、リュックサック１のバッグ本体１０と本考案を実施するための形態に係る各肩ベルトと各接合部の正面図である。【００１１】  図１は、バッグ本体１０の身体が接する側に於いて、右側上部肩ベルト２０Ａには右側接合部凸部３０Ａと胸部接合部凸部５０Ａ、右側下部肩ベルト２０ａには右側接合部凹部３０Ｂと腹部接合部凸部６０Ａ、左側上部肩ベルト２０Ｂには左側接合部凸部４０Ａと胸部接合部凹部５０Ｂ、左側下部肩ベルト２０ｂには左側接合部凹部４０Ｂと腹部接合部凹部６０Ｂの各接合部を設け、また、４箇所の各接合部凸部は、それぞれ調整ベルト（３１、４１、５１、６１）を有している。【００１２】  図２は、バッグ本体１０を背中側に背負った状態での胸側の接合部の結合分離状態を示したものである。４箇所の接合部のうち、右側接合部凸部３０Ａと右側接合部凹部３０Ｂ、左側接合部凸部４０Ａと左側接合部凹部４０Ｂをそれぞれ結合した状態で、結合された右側上部肩ベルト２０Ａと左側上部肩ベルト２０Ｂを左右の肩に掛けて使用するものである。【００１３】  図３は、上記、図２の状態で使用した際の、背中側のバッグ本体１０の位置図である。【００１４】  図４は、バッグ本体１０を胸側に移動した前持ちの状態でのバッグ本体１０の位置図である。【００１５】  図５は、バッグ本体１０を胸側に移動した前持ちの状態での背中側の接合部の結合状態を示したものである。４箇所の接合部のうち、胸部接合部凸部５０Ａと胸部接合部凹部５０Ｂ、腹部接合部凸部６０Ａと腹部接合部凹部６０Ｂをそれぞれ結合させてから、右側接合部凸部３０Ａと右側接合部凹部３０Ｂ、左側接合部凸部４０Ａと左側接合部凹部４０Ｂをそれぞれ分離した状態で、首を起点にバッグ本体１０を背中側から１８０度回転することで、バッグ本体１０を身体から離す事なく、前持ちの状態へ移行することができる。
【産業上の利用可能性】
【００１６】  本考案の横回転スライド式リュックサックは、電車などの公共交通機関を利用する社会人、学生にとって有用である。
【符号の説明】
【００１７】  １    リュックサック
１０    バッグ本体
２０Ａ  右側上部肩ベルト
２０ａ  右側下部肩ベルト
２０Ｂ  左側上部肩ベルト
２０ｂ  左側下部肩ベルト
３０Ａ  右側接合部凸部
３０Ｂ  右側接合部凹部
３１    右側接合部調整ベルト
４０Ａ  左側接合部凸部
４０Ｂ  左側接合部凹部
４１    左側接合部調整ベルト
５０Ａ  胸部接合部凸部
５０Ｂ  胸部接合部凹部
５１    胸部接合部調整ベルト
６０Ａ  腹部接合部凸部
６０Ｂ  腹部接合部凹部
６１    腹部接合部調整ベルト
１００  使用者
【図１】
0003235444.tif 000003
【図２】
0003235444.tif 000004
【図３】
0003235444.tif 000005
【図４】
0003235444.tif 000006
【図５】
0003235444.tif 000007